(57)【要約】【課題】主牽ロープに対する外れ止めの取付けや調整作業が円滑かつ容易に行なえるようにする。【解決手段】エレベータの乗りかごおよび釣り合い錘を吊下げる主牽ロープ９が綱車８に巻き掛けられている。この綱車８の上部および側部を覆うように逆Ｕ字状のカバー１２を設ける。このカバー１２は周方向に分割可能な複数個のカバー部品１２ａないし１２ｄにより構成し、そのカバー部品１２ａないし１２ｄの内側に、主牽ロープに対して交差する方向に延びる外れ止め１３ａないし１３ｄを、主牽ロープ９に対して接離する方向に移動自在に取付け、外れ止め１３ａないし１３ｄと主牽ロープ９との間隔が所定の寸法以下になるように設置する。【選択図】　図２
2004035130.tif 000002
【特許請求の範囲】
【請求項１】
梁上に載置された巻上機と、この巻上機の回転軸に連結されエレベータの乗りかごおよび釣り合い錘を吊下げる主牽ロープが巻き掛けられる綱車と、この綱車の少なくとも上部および側部を覆うように設けられて前記梁に固定され周方向に沿って複数個に分割可能なカバーと、前記カバーの内側に前記主牽ロープに対して交差する方向に延びるとともに前記主牽ロープに対して接離する方向に移動自在に取付けられた複数個の外れ止めとからなるエレベータの巻上機装置。
【請求項２】
前記カバーは、複数個のカバー部品により構成され、前記複数個の外れ止めが前記複数個のカバー部品に分散して取付けられていることを特徴とする請求項１に記載のエレベータの巻上機装置。
【請求項３】
前記カバー部品に開閉部が設けられ、この開閉部の内側に前記外れ止めが取付けられていることを特徴とする請求項２に記載のエレベータの巻上機装置。
【請求項４】
前記カバー部品に複数個の外れ止めが設けられていることを特徴とする請求項２または３に記載のエレベータの巻上機装置。
【請求項５】
前記カバー部品の前記外れ止めの取付け部に、当該外れ止めを前記主牽ロープに対して接離する方向に移動させることが可能な切り欠きが形成されていることを特徴とする請求項２ないし４のいずれかに記載のエレベータの巻上機装置。
【発明の詳細な説明】
【０００１】
【発明の属する技術分野】
本発明は、巻上機の綱車を覆うカバーに、綱車に巻き掛けられた主牽ロープの外れを防止する外れ止めを備えたエレベータの巻上機装置に関するものである。
【０００２】
【従来の技術】
ロープ式エレベータは、建物に設けられた昇降路上部に巻上機を設置し、この巻上機の綱車に巻き掛けられた複数本の主牽ロープに乗りかごおよび釣り合い錘をつるべ式に吊下げ、巻上機を駆動して主牽ロープを介して乗りかごおよび釣り合い錘を相反する方向に昇降させる構成が一般的である。
【０００３】
この種のロープ式エレベータにおいては、地震などの大きな外力が発生した場合に、巻上機の綱車に巻き掛けられた主牽ロープが、綱車に形成された溝より外れるおそれがあるため、主牽ロープの外側に外れ止めが主牽ロープとの間の間隔を所定の寸法以下に保持して設けられている。
【０００４】
従来、この外れ止めは、巻上機にブラケットを取付け、このブラケットを介して複数個設けたり、あるいは巻上機を覆うカバーの内側に溶着して設けたりする構成が一般的である。
【０００５】
【発明が解決しようとする課題】
しかしながら、このように外れ止めを巻上機にブラケットを介して固定したり、カバーに溶着して固定する構成においては、主牽ロープが巻上機の綱車から外れないように外れ止めを主牽ロープに対して所定の寸法以下の間隔を保持するように設置する必要があることから、この外れ止めを取付けたブラケットあるいはカバー全体を正確に位置決めして設置する必要があった。
【０００６】
また長期間にわたってエレベータの昇降が繰り返されると、主牽ロープや綱車の溝に摩耗が発生し進行するため、定期的に主牽ロープと外れ止め間の間隔が所定の寸法以下になるように調整する作業が必要となるが、この際、外れ止めがブラケットを介して巻上機に固定されている場合には、ブラケットに取付けられた外れ止めと巻上機を覆うカバーが別々に構成されているため、一旦カバーを取り外した後、ブラケットに取付けられた外れ止めの取付け状態を調整する作業が必要であった。
【０００７】
また外れ止めがカバーに溶着されている場合は、カバー全体を移動させて調整しなければならず、特に近年の大容量巻上機においては、カバー自体も大形化されているため、上述の調整作業を行なうことが困難となっている。
【０００８】
さらに外れ止めがカバーの内側に溶着されている場合には、外側よりカバーを移動させて調整作業を行なう際に、主牽ロープと外れ止めとの間の間隔を目視することが難しく、取付け状態を確認する作業が非常に困難であった。
【０００９】
本発明は、上述の問題点を考慮してなされたもので、主牽ロープに対する外れ止めの取付けや調整作業が円滑かつ容易に行なえるエレベータの巻上機装置を提供することを目的とする。
【００１０】
【課題を解決するための手段】
本発明は上記の課題を解決するために、エレベータの乗りかごおよび釣り合い錘を吊下げる主牽ロープが巻き掛けられた綱車の少なくとも上部および側部を覆うように設けられるカバーを周方向に分割可能に構成し、このカバーの内側に、主牽ロープに対して交差する方向に延びる複数個の外れ止めを、主牽ロープに対して接離する方向に移動自在に取付けたところに特徴を有する。
【００１１】
このようにすれば、分割可能なカバーを順次組立てる際に外れ止めを設置すればよく、外れ止めを主牽ロープとの間隔が所定の寸法以下になるように設置することが容易であり、しかも設置後の調整作業も外れ止めを移動させることにより容易に行なうことができる。
【００１２】
この場合カバーは、複数個のカバー部品により構成し、複数個の外れ止めを複数個のカバー部品に分散して取付けることが好ましい。
【００１３】
このようにすれば、複数個のカバー部品を梁上に組立てる際に、外れ止めの取付け状態を目視しながら順次設置することができる。
【００１４】
またカバー部品に開閉部を設け、この開閉部の内側に外れ止めを取付けることができ、このようにすれば、開閉部を開いて外れ止めの取付けや調整作業を行なうことができる。
【００１５】
さらにカバー部品に複数個の外れ止めを設けることにより、綱車に対して主牽ロープが巻き掛けられる角度が大きくなった場合においても適宜な位置に外れ止めを設置することができる。
【００１６】
またカバー部品の外れ止めの取付け部に、外れ止めを主牽ロープに対して接離する方向に移動させることが可能な切り欠きを形成することが好ましい。このようにすれば外れ止めを移動させるだけで調整作業を行なうことができる。
【００１７】
【発明の実施の形態】
以下、本発明の実施の形態を説明する。図１はロープ式エレベータの一般的な構成を示す断面図である。図１において、建物に設けられた昇降路１には図示しないガイドレールにより案内されて昇降する乗りかご２および釣り合い錘３が設けられている。昇降路１の上部には機械室４が設けられ、この機械室４には巻上機５および電磁装置などを制御する制御装置６が設置されている。巻上機５はベース７ａ上に設けられた梁７ｂ上に載置固定され、その回転軸５ａに綱車８が連結されている。この綱車８の外周面には複数条の溝が形成されており、この溝に嵌り込むように複数本の主牽ロープ９が巻き掛けられている。主牽ロープ９は一端側に乗りかご２が、他端側に釣り合い錘３がそれぞれ吊下げられ、巻上機５を介して綱車８が回転駆動されることにより、相反する方向に昇降するようになっている。なお、１０は調速機、１０ａは調速機ロープ、１１はソラセシーブである。
【００１８】
図２は本発明の第１実施の形態に係る巻上機装置を示す正面図である。図２において、巻上機５は梁７ｂ上に載置され、その回転軸５ａに綱車８が連結され、綱車８の外周面には複数本の主牽ロープ９が巻き掛けられている。また綱車８の外側には逆Ｕ字状をなすカバー１２が綱車８の上部および側部を覆うように設けられ、梁７ｂに固定されている。このカバー１２は、作業員による設置を容易にするため、周方向に沿って複数個（本実施の形態では４分割）に分割されたカバー部品１２ａないし１２ｄを組合せて構成され、巻上機５の綱車８と綱車８に巻き掛けられている主牽ロープ９を覆うように設置されている。
【００１９】
カバー１２は、軸方向の両端部および下端部にフランジが形成されており、そのうちカバー部品１２ａ，１２ｄは、上下方向に延びる直線状をなし、下端部のフランジが梁７ｂに固定され、軸方向両端部のフランジには上部に上下方向に延びる連結孔１２ｅが形成されている。
【００２０】
他のカバー部品１２ｂ，１２ｃは、それぞれ山形をなし、軸方向両端部の下端部が上記のカバー部品１２ａ，１２ｄの連結孔１２ｅを介して図示しないボルト，ナットによりカバー部品１２ａ，１２ｄの上部に連結され、また上部のフランジ１２ｆを介して図示しないボルト，ナットにより互いに連結されている。これによりカバー１２は、逆Ｕ字状をなして梁７ｂに固定され、綱車８の少なくとも上部および側部を覆うように設けられている。
【００２１】
各カバー部品１２ａないし１２ｄの内側には、それぞれ軸方向に延びるロッド状の外れ止め１３ａないし１３ｄが設けられている。
【００２２】
図３は分割可能なカバー部品のうちの一例としてカバー部品１２ｄを示す正面図、図４はこのカバー部品１２ｄに設けられたロッド状の外れ止めの取付け部を示す側面図、図５はこのロッド状の外れ止めの取付け部を内側から見た正面図である。図３において、カバー部品１２ｄの上部には、後述するロッド状の外れ止めが内側に取付けられる開閉部１４が設けられている。この開閉部１４は一方の側に蝶番１４ａが取付けられ、他方の側に取手１４ｂが取付けられてカバー部品１２ｄに対して開閉可能となっている扉１４ｃが設けられており、図４および図５に示すように、この扉１４ｃの内側にそれぞれ断面Ｌ字形をなす一対のブラケット１５ａ，１５ｂが水平方向に間隔をおいて取付けられている。一対のブラケット１５ａ，１５ｂにはそれぞれ上下方向の中央部に凹状の切り欠き１６ａ，１６ｂが形成されており、これら切り欠き１６ａ，１６ｂに嵌り込むようにして断面円形のロッド状の外れ止め１３ｄが設けられている。この外れ止め１３ｄは、両端部にネジが切られており、このネジに螺合するナット１７ａ，１７ｂがそれぞれブラケット１５ａ，１５ｂの外側からブラケット１５ａ，１５ｂを挟むように締めつけられることによりブラケット１５ａ，１５ｂに水平方向、すなわち主牽ロープに対して交差する方向に取付けられている。
【００２３】
ブラケット１５ａ，１５ｂに形成された凹状の切り欠き１６ａ，１６ｂは、主牽ロープや綱車の溝の摩耗が進行した際に、外れ止め１３ｄのカバー部品１４ｃに対する取付け位置の調整が必要となるため、主牽ロープに対して接離する方向に移動して取付け位置を変更することが可能なように大きく形成されている。
【００２４】
図６は主牽ロープ９と外れ止め１３ｄの関係を示す要部拡大図である。図６において、綱車８の溝に巻き掛けられた主牽ロープ９に対して交差する方向に外れ止め１３ｄが設けられている。ここで、カバー組立時のカバー部品１２ｄ内面から主牽ロープ９間の距離をａとし、カバー部品１２ｄ内面から外れ止め１３ｄ外周部までの距離をｂとし、綱車８外周面から主牽ロープ９の外周面までの距離をｃとすると、例えば主牽ロープ９の外れを防止するために主牽ロープ９と外れ止め１３ｄ間の所定寸法を３ｍｍ以下とした場合、
ａ−ｂ≦３　　……（１）
の関係を満足すればよい。従って主牽ロープ９と外れ止め１３ｄ間の取付け調整は、カバー部品１２ｄの組立て時に主牽ロープ９と外れ止め１３ｄ間の寸法をあらかじめ計測しておき、調整時にはｃ寸法が小さくなるため、（１）式を満足するように、ブラケットの切り欠きを利用して外れ止めを移動させｂ寸法を調整するようにすればよい。
【００２５】
このようにして他のカバー部品１２ａ，１２ｂ，１２ｃの開閉部にも同様にロッド状の外れ止め１３ａ，１３ｂ，１３ｃを設けておく。
【００２６】
次に作用を説明する。カバー１２は複数個のカバー部品１２ａないし１２ｄを組合せて構成されるので、下部のカバー部品１２ａ，１２ｄを梁７ｂに固定した後、上部のカバー部品１２ｂ，１２ｃを組立てるようにして設置できる。このため下部のカバー部品１２ａ，１２ｄを固定した時点で、このカバー部品１２ａ，１２ｄの内側に設けられている外れ止め１３ａ，１３ｄの取付け状態を目視することができ、その調整も容易に行うことができる。
【００２７】
またカバー部品１２ａ，１２ｄの上方に上部のカバー部品１２ｂ，１２ｃを組立てる際にもいずれか一方のカバー部品１２ｂまたは１２ｃを組立てたときにその内側に設けられている外れ止めの取付け状態を目視し調整することができる。さらに最後のカバー部品１２ｂまたは１２ｃを組立てた後においてもそのカバー部品１２ｂまたは１２ｄの開閉部１４を開いて外れ止め１３ｂまたは１３ｄの取付け状態を調整することができる。
【００２８】
一方、前述したように乗りかご２および釣り合い錘３は、巻上機５の綱車８に巻きかけられた主牽ロープ９に吊下げられているため、乗りかご２の昇降に伴い、綱車８の溝や主牽ロープ９は、経年変化により摩耗する。これにより、図６に示すｃ寸法が小さくなり、カバー１２を設置した際に主牽ロープ９の外れを防止するために合わせていた主牽ロープ９と外れ止め１３ａないし１３ｄ間の所定寸法が広くなってしまう。このようなときには、カバー１２を構成するカバー部品１２ａないし１２ｄを分解することなく、図３ないし図５に示すように、例えばカバー部品１２ｄの外れ止め１３ｄが取付けられる開閉部１４の扉１４ｃを外側から開き、外れ止め１３ｄを取付けているナット１７ａ，１７ｂを緩め、切り欠き１６ａ，１６ｂを利用して外れ止め１３ｄを主牽ロープ９に対して接離する方向に移動させて（１）式を満足するように位置決めし、ナット１７ａ，１７ｂによりブラケット１５ａ，１５ｂに再度締付け固定することで、外れ止め１３ｄと主牽ロープ９との間の間隔を所定の寸法以下に保持して取付けることができる。他のカバー部品の外れ止めについても同様な取付け調整作業を行うことができる。
【００２９】
このように本実施の形態によれば、分割可能なカバー１２を組立てる際に外れ止め１３ａないし１３ｄを設置すればよく、外れ止め１３ａないし１３ｄを主牽ロープ９との間隔が所定の寸法以下になるように設置することが容易である。しかもカバー１２設置後の外れ止め１３ａないし１３ｄに対する調整作業が必要となったときにおいても、カバー１２を構成するカバー部品１２ａないし１２ｄを取り外すことなく個々に調整できるため、作業性の向上、調整精度を高めることができる。
【００３０】
図７は本発明の第２実施の形態に係る巻上機装置を示す正面図である。本実施の形態では、開閉部を設ける数をカバーの分割数よりも多くし、一つのカバー部品に対して外れ止めを複数個設ける構成としたものである。本実施の形態では、カバー２２を、５分割したカバー部品２２ａないし２２ｅにより構成し、各カバー部品２２ａないし２２ｅに２個所の開閉部およびその内側に取付けられる外れ止め２３ａないし２３ｊを設ける構成としたものである。この構成によれば、綱車８が大きくなり、巻き掛けられる主牽ロープ９の曲率が大きくなった場合に対応して適宜な位置に外れ止め２３ａないし２３ｊを設置することができ、主牽ロープ外れに対する安全性を向上させることができる。
【００３１】
なお、カバーの分割数は、外れ止めの取付け数に関係なく設定することができ、例えば綱車の径が小さい場合には外れ止めの取付け数が少なくて済むので、外れ止めの取付け数以上にカバーを分割して外れ止めを取付けないカバー部品を設けることもできる。
【００３２】
また外れ止めは断面円形の形状に限らず、主牽ロープに対して交差する方向に延びるとともに主牽ロープに対して接離する方向に移動自在に構成できれば、断面多角形や楕円形等、他の断面形状の外れ止めを使用することができる。
【００３３】
【発明の効果】
以上説明したように、本発明によれば、複数個に分割可能なカバーの内側に、主牽ロープに対して交差する方向に延びるとともに主牽ロープに対して接離する方向に移動自在な複数個の外れ止めを取付けることにより、主牽ロープに対する外れ止めの取付けが容易に行なえるとともに、カバー本体を外すことなく外れ止めの取付け位置の調整作業が容易に行なえ、作業効率と調整精度を向上させることができる。
【図面の簡単な説明】
【図１】ロープ式エレベータの一般的な構成を示す断面図である。
【図２】本発明の第１実施の形態に係るエレベータの巻上機装置を示す正面図である。
【図３】図２に示すカバー部品の一例を示す正面図である。
【図４】図３に示すカバー部品に設けられた外れ止めの取付け部を示す側面図である。
【図５】図３に示す外れ止めの取付け部を内側から見た正面図である。
【図６】主牽ロープと外れ止めの関係を示す要部拡大図である。
【図７】本発明の第２実施の形態に係るエレベータの巻上機装置を示す正面図である。
【符号の説明】
１…昇降路
２…乗りかご
３…釣り合い錘
４…機械室
５…巻上機
６…制御装置
７ａ…ベース
７ｂ…梁
８…綱車
９…主牽ロープ
１０…調速機
１０ａ…調速機ロープ
１１…ソラセシーブ
１２…カバー
１２ａないし１２ｄ、２２ａないし２２ｅ…カバー部品
１２ｅ…連結孔
１２ｆ…フランジ
１３ａないし１３ｄ、２３ａないし２３ｊ…外れ止め
１４…開閉部
１４ａ…蝶番
１４ｂ…取手
１４ｃ…扉
１５ａ，１５ｂ…ブラケット
１６ａ，１６ｂ…切り欠き
１７ａ，１７ｂ…ナット
【図１】
2004035130.tif 000003
【図２】
2004035130.tif 000004
【図３】
2004035130.tif 000005
【図４】
2004035130.tif 000006
【図５】
2004035130.tif 000007
【図６】
2004035130.tif 000008
【図７】
2004035130.tif 000009